(57)【要約】【課題】連続紙に画像を形成するジョブの途中で画像形成が停止した場合に所定区間の画像を重複して形成する画像形成装置において、重複して形成された画像を容易に識別する。【解決手段】画像出力部６は、搬送方向に対して垂直なミシン目によって等間隔に区切られた連続紙に画像データに基づいて画像を形成する。形成された画像が蓄積装置３００に到達した場合にこのページが特定される。また、画像出力部６は、画像が形成された連続紙のミシン目にまたがる所定の位置に所定の形状の画像を形成する。画像出力部６は、ひと続きの画像データに基づく画像形成が途中で停止した場合に、蓄積装置３００に到達したページに後続するページの画像を形成する。この場合、ミシン目にまたがる位置に形成される画像を画像形成が停止する前と異ならせる。【選択図】図１
2007316290.tif 000002
【特許請求の範囲】
【請求項１】
搬送方向に対して垂直なミシン目によって等間隔に区切られた連続紙に画像データに基づいて画像を形成する第１の画像出力手段と、
前記第１の画像出力手段によって画像が形成された連続紙のミシン目にまたがる所定の位置に所定の形状の画像を形成する第２の画像出力手段と、
前記第１の画像出力手段および前記第２の画像出力手段によって画像が形成された連続紙を搬送路に沿って搬送する搬送手段と、
前記第１の画像出力手段によって前記連続紙に形成された画像が前記搬送路上における前記第１の画像出力手段よりも下流の所定の位置に到達した場合に該画像を特定する特定手段と、
前記第１の画像出力手段によるひと続きの画像データに基づく画像形成が途中で停止した場合に、前記特定手段によって最後に特定された画像に後続する画像を該ひと続きの画像データに基づいて前記連続紙に形成する第３の画像出力手段と、
前記第３の画像出力手段によって画像を形成する場合に、前記第２の画像出力手段によって形成される画像を、前記第１の画像出力手段による画像形成が停止する前と異ならせる変更手段と
を有することを特徴とする画像形成装置。
【請求項２】
前記変更手段は、前記第２の画像出力手段によって形成する画像の位置を前記第１の画像出力手段による画像形成が停止する前と異ならせることを特徴とする請求項１に記載の画像形成装置。
【請求項３】
前記第２の画像出力手段によって形成された画像の前記ミシン目上における位置と、該画像の前記ミシン目に沿う方向の長さとに基づいて、前記ミシン目に沿って交互に異なる方向に折り畳まれて蓄積された連続紙の前記ミシン目の露出した面に現れる図形を表す画像を前記連続紙に形成する第４の画像出力手段を有することを特徴とする請求項１または２に記載の画像形成装置。
【請求項４】
前記第１の画像出力手段によるひと続きの画像データに基づく画像形成が途中で停止した場合に、前記特定手段によって最後に特定された画像を前記第１の画像出力手段による画像形成が停止する前と異ならせて形成する第５の画像出力手段を有することを特徴とする請求項１乃至３のいずれかに記載の画像形成装置。
【請求項５】
前記第１の画像出力手段によってひと続きの画像データに基づく画像形成を行う期間に、連続紙の前記ミシン目にまたがる所定の位置に所定の形状の画像を形成する第６の画像出力手段を有し、
前記第２の画像出力手段は、前記第６の画像出力手段によって形成される画像と異なる位置に画像を形成する
ことを特徴とする請求項１乃至４のいずれかに記載の画像形成装置。
【請求項６】
前記第３の画像出力手段は、前記第１の画像出力手段によるひと続きの画像データに基づく画像形成が途中で停止した場合に、前記特定手段によって最後に特定された画像よりも前に形成された画像とそれに後続する画像とを該ひと続きの画像データに基づいて前記連続紙に形成することを特徴とする請求項１乃至５のいずれかに記載の画像形成装置。
【発明の詳細な説明】
【技術分野】
【０００１】
本発明は、画像形成装置に関する。
【背景技術】
【０００２】
連続紙に画像を形成する画像形成装置が普及している。この連続紙は、連続紙の搬送方向に対して垂直なミシン目によって等間隔に区切られている。画像形成済みの連続紙はスタッカと呼ばれる蓄積装置によってミシン目に沿って交互に異なる方向に折り畳まれて蓄積される。
連続紙に対するジョブ（ひと続きの画像データに基づく画像形成）の区切りを表すために、１つのジョブが完了するたびにミシン目上にマークを形成する方法が提案されている（例えば、特許文献１）。このマークを例えば連続する５ページに渡って形成しておけば、蓄積装置によって蓄積された連続紙のミシン目の露出した面にマークの一部を連ねた図形が出現する。この図形を目視確認することによって、オペレータは、ジョブの区切りを認識することができるようになる。
【特許文献１】特開平１０−２４４７３７号公報
【発明の開示】
【発明が解決しようとする課題】
【０００３】
ところで、連続紙のジャム等の障害によって画像形成が停止した場合に備えて以下に示す処理を行う画像形成装置が知られている。この画像形成装置は、連続紙に形成された画像が蓄積装置に到達した時点で当該画像の形成が完了したと判断する。蓄積装置から画像形成エンジンまでの区間の連続紙には、何ページかの画像が形成されている。このページ数はこの区間の距離とページのサイズとから予め分かっているから、画像形成エンジンが出力中であった画像からこのページ数だけ画像データをさかのぼることによって、蓄積装置に到達したページ（完了ページ）を特定することができる。
【０００４】
連続紙のジャム等の障害によって画像形成が停止した場合、蓄積装置から画像形成エンジンまでの区間の連続紙に形成された画像あるいは連続紙自体が何らかの損傷を受けている場合がある。そこで、この画像形成装置は、障害が解消した後、完了ページに後続する画像を連続紙に形成する。つまり、当該区間の画像が重複して形成されるから、損傷のない画像を確実に得ることができる。
【０００５】
しかし、この画像形成装置では、以下に示す問題が生じる。上記のように画像形成の停止を経てジョブを完了した場合、画像形成停止前に画像が形成された上記区間の連続紙を破棄することが必要となる。そのために、蓄積装置に蓄積された連続紙に形成された画像をオペレータが目視で観察し、重複して形成された画像を識別するという面倒な作業を強いられる。上記区間の画像が一見正常に形成されて見える場合もあり、そのような場合には識別が特に面倒である。
【０００６】
本発明は、上述した背景の下になされたものであり、連続紙に画像を形成するジョブの途中で画像形成が停止した場合に所定区間の画像を重複して形成する画像形成装置において、重複して形成された画像を容易に識別することのできる技術の提供を目的とする。
【課題を解決するための手段】
【０００７】
上述の課題を解決するために、本発明は、搬送方向に対して垂直なミシン目によって等間隔に区切られた連続紙に画像データに基づいて画像を形成する第１の画像出力手段と、前記第１の画像出力手段によって画像が形成された連続紙のミシン目にまたがる所定の位置に所定の形状の画像を形成する第２の画像出力手段と、前記第１の画像出力手段および前記第２の画像出力手段によって画像が形成された連続紙を搬送路に沿って搬送する搬送手段と、前記第１の画像出力手段によって前記連続紙に形成された画像が前記搬送路上における前記第１の画像出力手段よりも下流の所定の位置に到達した場合に該画像を特定する特定手段と、前記第１の画像出力手段によるひと続きの画像データに基づく画像形成が途中で停止した場合に、前記特定手段によって最後に特定された画像に後続する画像を該ひと続きの画像データに基づいて前記連続紙に形成する第３の画像出力手段と、前記第３の画像出力手段によって画像を形成する場合に、前記第２の画像出力手段によって形成される画像を、前記第１の画像出力手段による画像形成が停止する前と異ならせる変更手段とを有することを特徴とする画像形成装置を提供する（請求項１）。
【０００８】
請求項１に記載の画像形成装置において、前記変更手段は、前記第２の画像出力手段によって形成する画像の位置を前記第１の画像出力手段による画像形成が停止する前と異ならせるようにしてもよい（請求項２）。
【０００９】
請求項１または２に記載の画像形成装置において、前記第２の画像出力手段によって形成された画像の前記ミシン目上における位置と、該画像の前記ミシン目に沿う方向の長さとに基づいて、前記ミシン目に沿って交互に異なる方向に折り畳まれて蓄積された連続紙の前記ミシン目の露出した面に現れる図形を表す画像を前記連続紙に形成する第４の画像出力手段を有するようにしてもよい（請求項３）。
【００１０】
請求項１乃至３のいずれかに記載の画像形成装置において、前記第１の画像出力手段によるひと続きの画像データに基づく画像形成が途中で停止した場合に、前記特定手段によって最後に特定された画像を前記第１の画像出力手段による画像形成が停止する前と異ならせて形成する第５の画像出力手段を有するようにしてもよい（請求項４）。
【００１１】
請求項１乃至４のいずれかに記載の画像形成装置において、前記第１の画像出力手段によってひと続きの画像データに基づく画像形成を行う期間に、連続紙の前記ミシン目にまたがる所定の位置に所定の形状の画像を形成する第６の画像出力手段を有し、前記第２の画像出力手段は、前記第６の画像出力手段によって形成される画像と異なる位置に画像を形成するようにしてもよい（請求項５）。
【００１２】
請求項１乃至５のいずれかに記載の画像形成装置において、前記第３の画像出力手段は、前記第１の画像出力手段によるひと続きの画像データに基づく画像形成が途中で停止した場合に、前記特定手段によって最後に特定された画像よりも前に形成された画像とそれに後続する画像とを該ひと続きの画像データに基づいて前記連続紙に形成するようにしてもよい（請求項６）。
【発明の効果】
【００１３】
本発明によれば、連続紙に画像を形成するジョブの途中で画像形成が停止した場合に所定区間の画像を重複して形成する画像形成装置において、重複して形成された画像を容易に識別することができる。
【発明を実施するための最良の形態】
【００１４】
以下、図面を参照して、本発明の実施形態について説明する。
＜構成＞
図１は、本発明のハードウェア構成を示す図である。
給紙装置２００には連続紙１０のウェブ（ひと巻きの連続紙）が装填され、連続紙１０が画像形成装置１００に供給される。この連続紙は、連続紙の搬送方向に対して垂直なミシン目によって等間隔に区切られている。給紙装置２００から供給された連続紙は、ローラ等によって構成される搬送機構によって画像形成装置１００の内部に搬送され、後述する画像出力部６に供給される。
【００１５】
画像形成装置１００は、ＣＰＵ（Central Processing Unit）４４、ＲＯＭ（Read Only Memory）４５、ＲＡＭ（Random Access Memory）４６等からなる制御部４を有する。また、制御部４は、通信インターフェイス（以下、通信Ｉ／Ｆ）４７を有し、通信Ｉ／Ｆ４７は給紙装置２００、蓄積装置３００、外部のコンピュータ装置等と通信回線を介して接続されている。
【００１６】
記憶部５は、ハードディスク装置等の不揮発性メモリである。記憶部５には、ＯＳ（Operating System）プログラム、画像形成の手順を記述したプログラム等が記憶されている。これらのプログラムをＣＰＵ４４が実行することによって画像形成装置１００各部の制御を行う。
指示入力部４１は、スタート、ストップ、リセットの各キーとテンキー等からなるキーボード４０、液晶パネルからなるタッチパネル３９を備えており、画像形成装置１００に対する指示をオペレータが入力することができる。入力された指示はＣＰＵ４４に送られ、この指示に基づいてＣＰＵ４４は画像形成装置１００を制御する。
【００１７】
画像出力部６は、画像形成エンジン７Ｙ、７Ｍ、７Ｃ、７Ｋを主な構成要素とする。
画像形成エンジン７Ｙ、７Ｍ、７Ｃ、７Ｋは、それぞれイエロー（Ｙ）、マゼンタ（Ｍ）、シアン（Ｃ）、ブラック（Ｋ）の各色のトナー像を形成する。各画像形成エンジンの構成は共通であるから、ここでは画像形成エンジン７Ｙについてのみ説明する。
図２は、画像形成エンジン７Ｙの構成を表す図である。画像形成エンジン７Ｙは、感光体ドラム２０Ｙの周囲に、帯電装置２１Ｙ、露光装置１９Ｙ、現像装置２２Ｙ、転写装置２５Ｙ、クリーナブレード２４Ｙ、クリーナブラシ２６Ｙ等を設けて構成されている。
【００１８】
帯電装置２１Ｙは、矢印の方向に回転駆動される感光体ドラム２０Ｙの表面を所定の電位に帯電させる。
露光装置１９Ｙは、所定の電位に帯電した感光体ドラム２０Ｙに対して、画像データに基づいた露光用ビームを照射する走査光学系である。露光装置１９Ｙは、半導体レーザーにより画像データに基づいてレーザー光を出射し、このレーザー光を偏向走査することにより感光体ドラム２０Ｙの表面に静電潜像を形成する。感光体ドラム２０Ｙの表面では、レーザー光が照射された部分の電位が、感光体ドラム２０Ｙの有する光導電性により所定のレベルまで減少する。このように、感光体ドラム２０Ｙの表面電位が変化することにより、感光体ドラム２０Ｙの表面には画像データに基づいた静電潜像が形成される。
【００１９】
現像装置２２Ｙは、感光体ドラム２０Ｙ表面に形成された静電潜像を顕像化する装置である。トナータンク２３Ｙにはイエローのトナー（帯電色材）が収容されており、所定量のトナーが現像装置２２Ｙに供給される。現像装置２２Ｙは、このトナーを感光体ドラム２０Ｙ表面に供給し、静電潜像に付着させることによってトナー像を形成する。
感光体ドラム２０Ｙ表面に形成されたトナー像は、転写装置２５Ｙに印加された電圧による電界の作用によって、連続紙１０表面に転写される。
クリーナブレード２４Ｙは、板状の部材であり、その一辺を感光体ドラム２０Ｙに押し当てることによって、感光体ドラム２０Ｙ表面に残存したトナーを除去する。
クリーナブラシ２６Ｙは、導電性のブラシであり、感光体ドラム２０Ｙ表面に残存した電荷を除去する。
【００２０】
以上が画像形成エンジン７Ｙの構成である。画像形成エンジン７Ｍ、７Ｃ、７Ｋにおいても各色に対応したトナー像が形成され、連続紙１０表面に重ねて転写される。なお、これ以降、画像形成エンジン７Ｙ、７Ｍ、７Ｃ、７Ｋを区別する必要のない場合には、単に画像形成エンジン７と称する。他の構成要素についても同様に、Ｙ、Ｍ、Ｃ、Ｋの別を区別する必要のない場合には、Ｙ、Ｍ、Ｃ、Ｋの表記を省略するものとする。
【００２１】
図１に戻る。トナー像が転写された連続紙１０は、搬送機構によって定着装置１１に導かれる。定着装置１１は閃光を発するキセノンランプを内蔵しており、この閃光によってトナー像を加熱し、トナー像を連続紙１０表面に定着させる。トナー像の定着された連続紙１０は、蓄積装置３００へ搬送される。蓄積装置３００はスタッカと呼ばれ、画像が形成された連続紙１０をミシン目に沿って交互に異なる方向に折り畳んで蓄積する。
【００２２】
ここで、マークの形成について説明する。画像出力部６は、連続紙１０のミシン目にまたがる所定の位置に所定の画像（マーク）を形成する機能を備えている。図４は、マークの形成の例を示す図である。同図に示されるように、マークは例えば帯状の均一濃度の画像であり、このマークをミシン目にまたがる位置に形成する。マークの色は任意であるが、オペレータが目視で認識しやすい色、例えば、赤、黒等が好ましい。マークの形状も任意であるが、トナーの消費を抑えるために、マークの面積は小さいことが好ましい。このマークは、１つのジョブの実行中においては、各ページで同一の位置に形成する。ただし、１つのジョブの途中で画像形成が停止した場合、ジョブ再開後はその位置を変更してマークを形成する。詳しくは後述する。
【００２３】
続いて、画像形成が完了したページを特定する機能について説明する。ＣＰＵ４４は、連続紙のジャム等の障害によって画像形成が停止した場合に備えて以下に示す処理を行う。ＣＰＵ４４は、連続紙に形成された画像が蓄積装置３００に到達した時点で当該画像の形成が完了したと判断する。蓄積装置３００から画像出力部６までの区間の連続紙には、何ページかの画像が形成されている。このページ数はこの区間の距離とページのサイズとから予め分かっているから、画像出力部６が出力中であった画像からこのページ数だけ画像データをさかのぼることによって、蓄積装置３００に到達したページ（完了ページ）を特定することができる。
【００２４】
＜動作＞
次に、画像形成装置１００の動作について説明する。画像形成装置１００に電源が投入されると、ＣＰＵ４４が記憶部５に記憶されているプログラムを読み出して実行する。図３は、画像形成装置１００の動作のフローを表す図である。以下の説明では、画像形成装置１００の動作の主体はＣＰＵ４４である。
まず、ステップＡ０１では、ＣＰＵ４４は、ジョブを開始することの指示が入力されたか否かを一定時間間隔にて判定する。この指示は、具体的には、通信Ｉ／Ｆ４７を介して画像形成装置１００に接続されているコンピュータ装置等から送信されたデータであり、このデータには、画像データ、画像形成装置１００に対する画像形成の指示を表す信号等が含まれている。指示が入力された場合はステップＡ０２に進む。
ステップＡ０２では、ＣＰＵ４４は、ジョブを開始する。具体的には、通信Ｉ／Ｆ４７を介して受信した画像データに基づいて、画像出力部６によって連続紙１０に画像を形成する。
【００２５】
ステップＡ０３では、ＣＰＵ４４は、ジョブが途中で停止したか否かを一定時間間隔にて判定する。ジョブは種々の原因によって停止する。例えば、搬送機構によって連続紙１０を搬送する際に連続紙１０のジャムが発生した場合に停止される。また、画像出力部６に故障が発生した場合や、トナー等の消耗品の残量が所定値を下回った場合にも停止される。
また、ＣＰＵ４４は、前述したとおり、常時、完了ページを特定している。従って、ジョブが停止した時点での完了ページも特定されている。
ステップＡ０３でジョブが停止したと判定された場合はステップＡ０４に進む。
【００２６】
ステップＡ０４では、ＣＰＵ４４は、ジョブを再開するか否かを一定時間間隔にて判断する。具体的には、ジョブの停止後、障害を解決するための対策、例えば、ジャム発生箇所の連続紙１０の除去、消耗品の交換等がオペレータによって実施される。あるいは、発生した障害に対して画像形成装置１００が自動的に対策を実行する機能を備えている場合には、この機能によって対策が実行される。障害が解決されたならば、オペレータが指示入力部４１にジョブを再開することの指示を入力する、自動的に対策が実行された場合には、障害が解決したことをＣＰＵ４４が認識する。このようにしてジョブの再開が決定される、ジョブの再開が決定されると、ステップＡ０５に進む。
【００２７】
ステップＡ０５では、ＣＰＵ４４はジョブを再開する。ジョブの再開にあたっては、ジョブが停止された時点での完了ページに後続するページの画像を連続紙１０に形成する。また、このとき、マーク位置をジョブが停止される前と異なる位置に変更してマークを形成する。
ステップＡ０６では、画像形成されたページが最後のページであるか否かを判定する。最後のページである場合にはステップＡ０１に戻り、最後のページでない場合にはステップＡ０３に戻る。
以上が画像形成装置１によって行われる動作である。
【００２８】
図４は、１つのジョブの途中でジョブが２回停止した場合に形成されるマークの例を表す図である。この例は、ジョブ全体のページ数は４０ページであり、９ページ目の画像形成完了時（すなわち、９ページ目が蓄積装置３００に到達した時点）に１回目のジョブ停止が発生し、１９ページ目の画像形成完了時（すなわち、１９ページ目が蓄積装置３００に到達した時点）に２回目のジョブ停止が発生した場合を想定したものである。また、この例では、画像出力部６から蓄積装置３００までの区間が５ページ分に相当する場合を想定している。同図によると、１回目のジョブ停止時には１０〜１４ページ目の画像が画像出力部６によって連続紙１０に転写済みであり、１５ページ目の画像が転写処理中である。従って、ジョブが再開されると、完了ページである９ページ目に後続する１０ページ目以降の画像形成が行われる。また、このとき、同図に示されるように、マークの位置が１回目の画像形成停止前と異なる位置に変更される。同様に、２回目のジョブ停止時には２０〜２４ページ目の画像が画像出力部６によって転写済みであり、２５ページ目の画像が転写処理中である。従って、ジョブが再開されると、完了ページである１９ページ目に後続する２０ページ目以降の画像形成が行われる。また、このとき、同図に示されるように、マークの位置が２回目の画像形成停止前と異なる位置に変更される。
【００２９】
図５は、蓄積装置３００によって折り畳まれて蓄積された連続紙１０のミシン目の露出した面を表している。同図において、１ページ目が最も下に位置し、４０ページ目が最も上に位置している。同図に示されるように、ミシン目の露出した面においては、マークの一部が連なることによって形成された図形が出現する。この図形によって、オペレータは、ジョブが途中で停止した場合に、重複して形成された画像の開始位置を知ることができる。これによって、オペレータは、重複して形成された画像を容易に識別することができるようになる。
【００３０】
さらに、画像形成装置１００は、図５に示された図形を表す画像を任意のタイミングで連続紙１０に形成する機能を有している。図６は、図形を表す画像を形成した例を示す図である。この例では、図形の上部に「印刷マークが以下のようになっていることを確認してください」というメッセージが描かれている。ジョブの完了後、あるいはオペレータの交代時等に連続紙１０にこの画像を形成しておくことによって、オペレータに注意を喚起することができる。
【００３１】
さらに、画像形成装置１００は、ジョブが停止した時点の完了ページの画像を停止前と異なる態様で任意のタイミングで再度形成する機能を有している。図７は、この機能によって形成された画像の例を表す図である。この例では、１回目のジョブ停止時の完了ページである９ページ目、２回目のジョブ停止時の完了ページである１９ページ目の画像が形成されており、さらに、「再印刷前」の文字列が低濃度で形成されている。また、これに加えて、完了ページの次のページの画像を形成してもよい。同図においては、完了ページの次のページである１０ページ目と２０ページ目の画像が形成され、「再印刷後」の文字列が低濃度で形成されている。ジョブの完了後、あるいはオペレータの交代時等に連続紙１０にこの画像を形成しておくことによって、オペレータが重複する画像を容易に識別できるようになる。
【００３２】
以上説明したとおり、本発明によれば、連続紙に画像を形成するジョブの途中で画像形成が停止した場合に所定区間の画像を重複して形成する画像形成装置において、重複して形成された画像を容易に識別することができるようになる。
【００３３】
＜変形例＞
以上説明した形態に限らず、本発明は種々の形態で実施可能である。例えば、上述の実施形態を以下のように変形した形態でも実施可能である。
【００３４】
上述の実施形態では、ジョブの再開後に形成するマークの位置をジョブの停止前と異なる位置に変更する例を示したが、マークの色を変更してもよいし、マークが帯状である場合にはその太さを変更してもよい。
上述の実施形態では、ジョブが停止した時点での完了ページの画像を形成し、さらに「再印刷前」の文字列を低濃度で形成する例を示したが、他の態様によって形成するようにしてもよい。例えば、文字列は、ジョブの停止を意味する文字列でもよいし、任意の図形でもよい。また、ジョブが完了した時点で完了ページの縮小画像を形成するようにしてもよい。あるいは、重複して形成されたすべてのページの縮小画像を同一ページに配置するようにしてもよい。
【００３５】
１つのジョブを識別するためのいわゆるジョブセパレーションマークを形成し、上述の実施形態で示したマークをジョブセパレーションマークと別個に形成するようにしてもよい。ジョブセパレーションマークは、ジョブが途中で停止した場合でも、その位置を変更せずに形成する。そして、ジョブセパレーションマークと異なる位置にマークを形成する。このようにすれば、ジョブの停止に伴って重複して形成された画像を容易に識別できるだけでなく、ジョブの区切りを容易に識別できるようになる。
【００３６】
画像出力部６によるひと続きの画像データに基づく画像形成が途中で停止した場合に、完了ページよりも所定ページ数だけ前に画像形成されたページとそれに後続するページの画像を連続紙１０に形成するようにしてもよい。このようにすれば、完了ページよりも前に画像形成されたページが所定数だけ重複して画像形成されるから、重複ページを切り離す際に作業ミスにより連続紙１０が損傷した場合でも、それと同じページを確保することができる。
【００３７】
上記の実施形態では電子写真方式の画像形成装置の例を示したが、本発明は、インクジェット方式、熱転写方式等、電子写真方式以外のいかなる画像形成装置にも適用可能である。
【図面の簡単な説明】
【００３８】
【図１】本発明のハードウェア構成を示す図である。
【図２】画像形成エンジン７Ｙの構成を表す図である。
【図３】画像形成装置１００の動作のフローを表す図である。
【図４】マークの形成の例を示す図である。
【図５】蓄積された連続紙１０のミシン目の露出した面を表す図である。
【図６】図形を表す画像を形成した例を示す図である。
【図７】形成された画像の例を表す図である。
【符号の説明】
【００３９】
１００…画像形成装置、２００…給紙装置、３００…蓄積装置、１０…連続紙、４…制御部、４４…ＣＰＵ、４５…ＲＯＭ、４６…ＲＡＭ、４７…通信インターフェイス、５…記憶部、４１…指示入力部、４０…キーボード、３９…タッチパネル、６…画像出力部、７Ｙ、７Ｍ、７Ｃ、７Ｋ…画像形成エンジン、２０Ｙ…感光体ドラム、２１Ｙ…帯電装置、１９Ｙ…露光装置、２２Ｙ…現像装置、２５Ｙ…転写装置、２４Ｙ…クリーナブレード、２６Ｙ…クリーナブラシ、２３Ｙ…トナータンク、１１…定着装置。
【図１】
2007316290.tif 000003
【図２】
2007316290.tif 000004
【図３】
2007316290.tif 000005
【図４】
2007316290.tif 000006
【図５】
2007316290.tif 000007
【図６】
2007316290.tif 000008
【図７】
2007316290.tif 000009